(57)【要約】【課題】撮影範囲が変更された場合でも、ＯＶＦにて正確な撮影範囲を知ることが可能な撮像装置を提供する。【解決手段】ファインダ窓１６と、ファインダ窓１６から入射する被写体の光像を覗くための覗き窓１７と、覗き窓１７から見える被写体の光像に情報を重畳させるための表示部６１とを含むファインダ装置１５を有するデジタルカメラ１０の撮影範囲計算部３７は、覗き窓１７から見える被写体の光像を撮影して得たＯＶＦ画像データと、固体撮像素子２１ａで撮影され表示部６１に表示された画像を固体撮像素子２１ｂで撮影して得たＥＶＦ画像データのうち、ＥＶＦ画像データを複数の加工条件で加工し、加工したＥＶＦ画像データとＯＶＦ画像データとの相関量が最も大きくなるときの加工条件に基づいて、覗き窓１７から見える被写体の範囲に対する撮影範囲の大きさ及び位置を示す情報を生成し、この表示情報を表示部６１に表示させて被写体の光像に重畳させる。【選択図】図１３
2012080296.tif 000002
【特許請求の範囲】
【請求項１】
被写体の方向に向けられるファインダ窓と、前記ファインダ窓から入射する前記被写体の光像を覗くための撮影者側ファインダ覗き窓と、前記撮影者側ファインダ覗き窓から見える前記被写体の光像に情報を重畳させるための表示部とを含むファインダ装置を有する撮像装置であって、
前記撮影者側ファインダ覗き窓から見える前記被写体の光像を撮影して得られる撮影画像データと、前記被写体を第一の固体撮像素子で撮影して得られる撮影画像データ又は当該撮影画像データに基づく画像を撮影して得られる撮影画像データとを取得する撮影画像データ取得部と、
前記撮影画像データ取得部で取得された２つの前記撮影画像データの一方を複数の加工条件で加工する加工部と、
前記加工部で加工された前記一方の撮影画像データと他方の前記撮影画像データとの相関量を演算する相関量演算部と、
前記加工部で加工された前記一方の撮影画像データと他方の前記撮影画像データとの前記相関量が最も大きくなるときの前記加工条件に基づいて、前記撮影者側ファインダ覗き窓から見える前記被写体の範囲に対する前記第一の固体撮像素子で撮影される撮影範囲の大きさ及び位置を示す第一の情報を少なくとも生成する情報生成部と、
少なくとも前記第一の情報を前記表示部に表示させて当該第一の情報を前記被写体の光像に重畳させる表示制御部とを備える撮像装置。
【請求項２】
請求項１記載の撮像装置であって、
前記情報生成部は、前記撮影範囲が前記撮影者側ファインダ覗き窓から見える前記被写体の範囲よりも広い場合に、前記第一の固体撮像素子で撮影される撮影範囲に対応する枠と、前記撮影者側ファインダ覗き窓から見える前記被写体の範囲に対応する枠とを表示するための情報を前記第一の情報として生成する撮像装置。
【請求項３】
請求項２記載の撮像装置であって、
前記加工部は、前記撮影画像データの歪曲処理を少なくとも実施し、
前記情報生成部は、前記撮影範囲が前記撮影者側ファインダ覗き窓から見える前記被写体の範囲よりも広い場合に、前記第一の固体撮像素子で撮影される撮影範囲に対応する矩形の枠と、前記撮影者側ファインダ覗き窓から見える前記被写体の範囲に対応する枠であって、前記相関量が最も大きくなるときの前記加工条件又は当該加工条件の反対の加工条件で前記矩形の枠を加工して得られる歪曲した枠とを表示するための情報を前記第一の情報として生成する撮像装置。
【請求項４】
請求項１〜３のいずれか１項記載の撮像装置であって、
前記情報生成部は、更に、前記第一の固体撮像素子で撮影される撮影範囲の水平方向及び垂直方向を示すためのグリッド線を表示するための第二の情報を生成し、
前記表示制御部は、前記第一の情報と前記第二の情報を前記表示部に表示させて当該第一の情報及び第二の情報を前記被写体の光像に重畳させる撮像装置。
【請求項５】
請求項４記載の撮像装置であって、
前記第二の情報は、前記撮影範囲に設定されるグリッド線のうち前記撮影者側ファインダ覗き窓から見える範囲のグリッド線を前記撮影範囲に設定される大きさのままで表示するための情報と、前記撮影範囲に設定されるグリッド線の全体像を縮小して表示するための情報とを含む撮像装置。
【請求項６】
請求項５記載の撮像装置であって、
前記情報生成部は、前記撮影範囲が前記撮影者側ファインダ覗き窓から見える前記被写体の範囲よりも広い場合に、前記第二の情報を生成し、前記撮影範囲が前記撮影者側ファインダ覗き窓から見える前記被写体の範囲よりも狭い場合には、前記第一の固体撮像素子で撮影される撮影範囲に対応する枠を表示するための情報を前記第一の情報として生成し、
前記表示制御部は、前記撮影範囲が前記撮影者側ファインダ覗き窓から見える前記被写体の範囲よりも広い場合には、前記情報生成部で生成された前記第一の情報と前記第二の情報を前記表示部に表示させ、前記撮影範囲が前記撮影者側ファインダ覗き窓から見える前記被写体の範囲よりも狭い場合には、前記情報生成部で生成された前記第一の情報を前記表示部に表示させる撮像装置。
【請求項７】
請求項１〜６のいずれか１項記載の撮像装置であって、
前記第一の固体撮像素子で撮影される撮影範囲が変更されたことを検出する撮影範囲変更検出部を備え、
前記撮影画像データ取得部、前記加工部、及び前記情報生成部は、前記撮影範囲が変更された場合にのみ動作する撮像装置。
【請求項８】
請求項１〜７のいずれか１項記載の撮像装置であって、
前記撮影者側ファインダ覗き窓から見える前記被写体の光像を撮影する前記第一の固体撮像素子とは別の第二の固体撮像素子を備え、
前記被写体の光像を撮影して得られる撮影画像データは、前記ファインダ窓に入射してくる前記被写体の光像を、前記表示部を非表示にした状態で前記第二の固体撮像素子で撮影して得られたものである撮像装置。
【請求項９】
請求項８記載の撮像装置であって、
前記第一の固体撮像素子で撮影された画像を前記表示部に表示させて前記撮影者側ファインダ覗き窓に当該画像光を出射させる画像表示制御部を備え、
前記第二の固体撮像素子は、前記表示部に表示される前記画像も撮影可能に配置されており、
前記撮影画像データ取得部は、前記ファインダ窓に入射する被写体の光像を遮った状態で前記表示部に表示された前記画像を前記第二の固体撮像素子で撮影して得られた撮影画像データと、前記被写体の光像を撮影して得られる撮影画像データとを取得する撮像装置。
【請求項１０】
請求項１〜６のいずれか１項記載の撮像装置であって、
前記第一の固体撮像素子で撮影された画像を前記表示部に表示させて前記撮影者側ファインダ除き窓に当該画像光を出射させる画像表示制御部を備え、
前記撮影画像データ取得部は、前記ファインダ窓に入射する被写体の光像を遮った状態で前記表示部に表示された前記画像を前記撮影者側ファインダ除き窓から外部の撮像装置で撮影して得られた撮影画像データと、前記ファインダ窓に入射してくる前記被写体の光像を、前記表示部を非表示にした状態で前記撮影者側ファインダ除き窓から前記外部の撮像装置で撮影して得られた撮影画像データとを取得する撮像装置。
【請求項１１】
被写体の方向に向けられるファインダ窓と、前記ファインダ窓から入射する前記被写体の光像を覗くための撮影者側ファインダ覗き窓と、前記撮影者側ファインダ覗き窓から見える前記被写体の光像に情報を重畳させるための表示部とを含むファインダ装置を有する撮像装置における撮影範囲表示制御方法であって、
前記撮影者側ファインダ覗き窓から見える前記被写体の光像を撮影して得られる撮影画像データと、前記被写体を第一の固体撮像素子で撮影して得られる撮影画像データ又は当該撮影画像データに基づく画像を撮影して得られる撮影画像データとを取得する撮影画像データ取得ステップと、
前記撮影画像データ取得ステップで取得した２つの前記撮影画像データの一方を複数の加工条件で加工する加工ステップと、
前記加工ステップで加工した前記一方の撮影画像データと他方の前記撮影画像データとの相関量が最も大きくなるときの前記加工条件に基づいて、前記撮影者側ファインダ覗き窓から見える前記被写体の範囲に対する前記第一の固体撮像素子で撮影される撮影範囲の大きさ及び位置を示す第一の情報を少なくとも生成する情報生成ステップと、
少なくとも前記第一の情報を前記表示部に表示させて当該第一の情報を前記被写体の光像に重畳させる表示制御ステップとを備える撮影範囲表示制御方法。
【請求項１２】
請求項１１記載の撮影範囲表示制御方法であって、
前記情報生成ステップでは、前記撮影範囲が前記撮影者側ファインダ覗き窓から見える前記被写体の範囲よりも広い場合に、前記第一の固体撮像素子で撮影される撮影範囲に対応する枠と、前記撮影者側ファインダ覗き窓から見える前記被写体の範囲に対応する枠とを表示するための情報を前記第一の情報として生成する撮影範囲表示制御方法。
【請求項１３】
請求項１２記載の撮影範囲表示制御方法であって、
前記加工ステップでは、前記撮影画像データの歪曲処理を少なくとも実施し、
前記情報生成ステップでは、前記撮影範囲が前記撮影者側ファインダ覗き窓から見える前記被写体の範囲よりも広い場合に、前記第一の固体撮像素子で撮影される撮影範囲に対応する矩形の枠と、前記撮影者側ファインダ覗き窓から見える前記被写体の範囲に対応する枠であって、前記相関量が最も大きくなるときの前記加工条件又は当該加工条件の反対の加工条件で前記矩形の枠を加工して得られる歪曲した枠とを表示するための情報を前記第一の情報として生成する撮影範囲表示制御方法。
【請求項１４】
請求項１１〜１３のいずれか１項記載の撮影範囲表示制御方法であって、
前記情報生成ステップでは、更に、前記第一の固体撮像素子で撮影される撮影範囲の水平方向及び垂直方向を示すためのグリッド線を表示するための第二の情報を生成し、
前記表示制御ステップでは、前記第一の情報と前記第二の情報を前記表示部に表示させて当該第一の情報及び第二の情報を前記被写体の光像に重畳させる撮影範囲表示制御方法。
【請求項１５】
請求項１４記載の撮影範囲表示制御方法であって、
前記第二の情報は、前記撮影範囲に設定されるグリッド線のうち前記撮影者側ファインダ覗き窓から見える範囲のグリッド線を前記撮影範囲に設定される大きさのままで表示するための情報と、前記撮影範囲に設定されるグリッド線の全体像を縮小して表示するための情報とを含む撮影範囲表示制御方法。
【請求項１６】
請求項１１〜１５のいずれか１項記載の撮影範囲表示制御方法であって、
前記情報生成ステップでは、前記撮影範囲が前記撮影者側ファインダ覗き窓から見える前記被写体の範囲よりも広い場合に、前記第二の情報を生成し、前記撮影範囲が前記撮影者側ファインダ覗き窓から見える前記被写体の範囲よりも狭い場合には、前記第一の固体撮像素子で撮影される撮影範囲に対応する枠を表示するための情報を前記第一の情報として生成し、
前記表示制御ステップでは、前記撮影範囲が前記撮影者側ファインダ覗き窓から見える前記被写体の範囲よりも広い場合には、前記情報生成部で生成された前記第一の情報と前記第二の情報を前記表示部に表示させ、前記撮影範囲が前記撮影者側ファインダ覗き窓から見える前記被写体の範囲よりも狭い場合には、前記情報生成部で生成された前記第一の情報を前記表示部に表示させる撮影範囲表示制御方法。
【請求項１７】
請求項１１〜１６のいずれか１項記載の撮影範囲表示制御方法であって、
前記第一の固体撮像素子で撮影される撮影範囲が変更されたことを検出する撮影範囲変更検出ステップを備え、
前記撮影画像データ取得ステップ、前記加工ステップ、及び前記情報生成ステップを、前記撮影範囲が変更された場合にのみ実行する撮影範囲表示制御方法。
【請求項１８】
請求項１１〜１７のいずれか１項記載の撮影範囲表示制御方法であって、
前記撮像装置は、前記撮影者側ファインダ覗き窓から見える前記被写体の光像を撮影する前記第一の固体撮像素子とは別の第二の固体撮像素子を備え、
前記被写体の光像を撮影して得られる撮影画像データは、前記ファインダ窓に入射してくる前記被写体の光像を、前記表示部を非表示にした状態で、前記撮影者側ファインダ覗き窓から見える前記被写体の光像を前記第二の固体撮像素子で撮影して得られたものである撮影範囲表示制御方法。
【請求項１９】
請求項１８記載の撮影範囲表示制御方法であって、
前記第一の固体撮像素子で撮影された画像を前記表示部に表示させて前記撮影者側ファインダ覗き窓に当該画像光を出射させる画像表示制御ステップを備え、
前記第二の固体撮像素子は、前記表示部に表示される前記画像も撮影可能に配置されており、
前記撮影画像データ取得ステップでは、前記ファインダ窓に入射する被写体の光像を遮った状態で前記表示部に表示された前記画像を前記第二の固体撮像素子で撮影して得られた撮影画像データと、前記被写体の光像を撮影して得られる撮影画像データとを取得する撮影範囲表示制御方法。
【請求項２０】
請求項１１〜１６のいずれか１項記載の撮影範囲表示制御方法であって、
前記第一の固体撮像素子で撮影された画像を前記表示部に表示させて前記撮影者側ファインダ除き窓に当該画像光を出射させる画像表示制御ステップを備え、
前記撮影画像データ取得ステップでは、前記ファインダ窓に入射する被写体の光像を遮った状態で前記表示部に表示された前記画像を前記撮影者側ファインダ除き窓から外部の撮像装置で撮影して得られた撮影画像データと、前記ファインダ窓に入射してくる前記被写体の光像を、前記表示部を非表示にした状態で前記撮影者側ファインダ除き窓から前記外部の撮像装置で撮影して得られた撮影画像データとを取得する撮影範囲表示制御方法。
【発明の詳細な説明】
【技術分野】
【０００１】
本発明は、撮像装置及び撮影範囲表示制御方法に関する。
【背景技術】
【０００２】
固体撮像素子から出力される撮影画像信号をデジタル処理して得た撮影画像データを記録媒体に保存するデジタルカメラにも、従来は、光学式ビューファインダ（以下、ＯＶＦともいう。）が設けられ、撮影者はファインダを覗き、被写体の構図などを目視し、シャッタボタンを押す様になっていた。
【０００３】
しかし、近年のデジタルカメラは、光学式ビューファインダを設けずに、カメラ背面に設けた大型液晶表示装置に固体撮像素子で撮影中の撮影画像を表示し、ファインダ代わりとするのが一般的になっている。
【０００４】
しかしながら、カメラ背面の大型液晶表示装置にライブビュー画像を表示する形式のデジタルカメラでは、この撮影画像を確認するためにカメラを顔から離して見なければならず、シャッタボタンを押したとき手振れが発生してしまうという問題がある。また、固体撮像素子から出力され画像処理されたライブビュー画像を表示するため、実際の被写体の状態に比べて若干のタイムラグが存在するという課題もある。
【０００５】
これに対し、光学式ビューファインダの代わりに、電子ビューファインタ（以下、ＥＶＦともいう。）を搭載したデジタルカメラもある。電子ビューファインダは、小さなファインダの覗き窓内に小型液晶表示装置を設け、ここに固体撮像素子で撮影中の画像を表示し、撮影者に被写体の構図などを確認させるものである。
【０００６】
しかしながら、電子ビューファインダは、小型液晶表示装置の画素数が少ないため、粗い画像しか表示できず、撮影者が被写体の細かな部分の確認ができないという課題がある。また、上記と同様に、固体撮像素子から出力され画像処理された撮影画像を表示するため、実際の被写体の状態に比べて若干のタイムラグが存在するという課題もある。
【０００７】
近年のデジタルカメラには、上述した種々の問題や課題がある他、カメラファンの中には、光学式ビューファインダの復活を望む声も多い。このため、例えば下記の特許文献１に記載されている様なハイブリッド型のファインダ装置をデジタルカメラに搭載することが考えられている。
【０００８】
このハイブリッド型のファインダ装置は、光学式ビューファインダの光路の途中に斜め４５度のハーフミラーを置き、このハーフミラーに、ＥＶＦ用小型液晶表示装置に表示した画像（カメラの固体撮像素子で撮影して得られる画像）の光を投射する構成となっている。そして、光学式ビューファインダを通した被写体の光像と、ＥＶＦ用小型液晶表示装置の表示画像のいずれか一方を選択してファインダ接眼レンズを通して撮影者の目に投影し、或いは、両者を混合して撮影者の目に投影する。
【０００９】
ハイブリッド型のファインダ装置では、光学式ビューファインダで見ることができる被写体光像（ＯＶＦ像）は、ＯＶＦ用の光学系を通して見える像であり、電子ビューファインダで見ることができる被写体光像（ＥＶＦ像）は、カメラの撮影用の光学系を通して見える像であるため、ＯＶＦ像とＥＶＦ像には若干の違いが生じる。
【００１０】
この違いは、焦点距離を変更するレンズ、超広角レンズ、及び魚眼レンズ等のコンバージョンレンズが撮影用の光学系に取り付けられた場合や、撮影用の光学系を別のものに交換した（レンズ交換した）場合等には、特に大きくなる。このため、コンバージョンレンズをカメラに取り付けた状態やレンズ交換した状態でＯＶＦを覗きながら撮影を行うと、撮影者の意図した画像を得られないという課題が発生する。
【００１１】
特許文献２には、記録用画像を得るための主撮像系と、視野確認用画像を得るための副撮像系と、副撮像系で撮影された視野確認用画像を表示する表示部とを備え、主撮像系の光路を通った被写体像をファインダ窓から確認できるモードと、表示部に表示された視野確認用画像を当該ファインダ窓から確認できるモードとを切り替えられるようにしたデジタルカメラが記載されている。
【００１２】
このデジタルカメラは、視野確認用画像をファインダ窓から確認できるモードにおいて、主撮像系の画角（撮影範囲）を示す枠を視野確認用画像に重畳させて表示し、主撮像系の焦点距離情報に応じて当該枠の大きさを変更している。このデジタルカメラによれば、表示部に表示される視野確認用画像を見ながら、主撮像系の画角を知ることができる。
【００１３】
しかし、特許文献２に記載のデジタルカメラは、焦点距離情報を持たないコンバージョンレンズや取替え用レンズをカメラに装着した場合には、上記枠の大きさを変更することができない。つまり、特許文献２の技術をハイブリッド型のファインダ装置を搭載するカメラに適用しても、焦点距離情報を持たないコンバージョンレンズや取替え用レンズをカメラに装着した場合には上記課題を解決することができない。また、超広角レンズや魚眼レンズ等は、画角が歪むことになるが、この歪みは、カメラの撮像素子とレンズとの関係で決まるものである。このため、コンバージョンレンズの特性を示す情報をカメラが取得できたとしても、その情報は正確であるとは言えず、撮影範囲を正確に知らせることはできない。
【００１４】
特許文献３には、電子ズームの動作時、ＯＶＦを通して見える被写体光像に当該電子ズームの動作状況を重ねて表示するデジタルカメラが開示されている。このデジタルカメラによれば、ＯＶＦを通して見える被写体光像のどの範囲が実際に撮影画像として記録されるのかを知ることができる。
【００１５】
しかし、このデジタルカメラは、コンバージョンレンズや取替え用レンズが取り付けられた場合には、撮影用の光学系で撮影される被写体光像と、ＯＶＦを通して見える被写体光像とに大きな違いが生じるため、ＯＶＦにて正確な撮影範囲を知ることはできない。
【先行技術文献】
【特許文献】
【００１６】
【特許文献１】特開平３−２９２０６７号公報
【特許文献２】特開２００８−９６５８４号公報
【特許文献３】特開２００３−１９８８８９号公報
【発明の概要】
【発明が解決しようとする課題】
【００１７】
本発明は、上記事情に鑑みてなされたものであり、撮影範囲が変更された場合でも、ＯＶＦにて正確な撮影範囲を知ることが可能な撮像装置及び撮影範囲表示制御方法を提供することを目的とする。
【課題を解決するための手段】
【００１８】
本発明の撮像装置は、被写体の方向に向けられるファインダ窓と、前記ファインダ窓から入射する前記被写体の光像を覗くための撮影者側ファインダ覗き窓と、前記撮影者側ファインダ覗き窓から見える前記被写体の光像に情報を重畳させるための表示部とを含むファインダ装置を有する撮像装置であって、前記撮影者側ファインダ覗き窓から見える前記被写体の光像を撮影して得られる撮影画像データと、前記被写体を第一の固体撮像素子で撮影して得られる撮影画像データ又は当該撮影画像データに基づく画像を撮影して得られる撮影画像データとを取得する撮影画像データ取得部と、前記撮影画像データ取得部で取得された２つの前記撮影画像データの一方を複数の加工条件で加工する加工部と、前記加工部で加工された前記一方の撮影画像データと他方の前記撮影画像データとの相関量を演算する相関量演算部と、前記加工部で加工された前記一方の撮影画像データと他方の前記撮影画像データとの前記相関量が最も大きくなるときの前記加工条件に基づいて、前記撮影者側ファインダ覗き窓から見える前記被写体の範囲に対する前記第一の固体撮像素子で撮影される撮影範囲の大きさ及び位置を示す第一の情報を少なくとも生成する情報生成部と、少なくとも前記第一の情報を前記表示部に表示させて当該第一の情報を前記被写体の光像に重畳させる表示制御部とを備えるものである。
【００１９】
本発明の撮影範囲表示制御方法は、被写体の方向に向けられるファインダ窓と、前記ファインダ窓から入射する前記被写体の光像を覗くための撮影者側ファインダ覗き窓と、前記撮影者側ファインダ覗き窓から見える前記被写体の光像に情報を重畳させるための表示部とを含むファインダ装置を有する撮像装置における撮影範囲表示制御方法であって、前記撮影者側ファインダ覗き窓から見える前記被写体の光像を撮影して得られる撮影画像データと、前記被写体を第一の固体撮像素子で撮影して得られる撮影画像データ又は当該撮影画像データに基づく画像を撮影して得られる撮影画像データとを取得する撮影画像データ取得ステップと、前記撮影画像データ取得ステップで取得した２つの前記撮影画像データの一方を複数の加工条件で加工する加工ステップと、前記加工部で加工された前記一方の撮影画像データと他方の前記撮影画像データとの相関量を演算する相関量演算ステップと、前記加工ステップで加工した前記一方の撮影画像データと他方の前記撮影画像データとの前記相関量が最も大きくなるときの前記加工条件に基づいて、前記撮影者側ファインダ覗き窓から見える前記被写体の範囲に対する前記第一の固体撮像素子で撮影される撮影範囲の大きさ及び位置を示す第一の情報を少なくとも生成する情報生成ステップと、少なくとも前記第一の情報を前記表示部に表示させて当該第一の情報を前記被写体の光像に重畳させる表示制御ステップとを備えるものである。
【発明の効果】
【００２０】
本発明によれば、撮影範囲が変更された場合でも、ＯＶＦにて正確な撮影範囲を知ることが可能な撮像装置及び撮影範囲表示制御方法を提供することができる。
【図面の簡単な説明】
【００２１】
【図１】本発明の一実施形態を説明するためのデジタルカメラの外観斜視図
【図２】図１に示すデジタルカメラ１０を横から見た図
【図３】図２に示したデジタルカメラ１０のレンズ鏡筒１２にコンバージョンレンズＣＬが装着された状態を示す図
【図４】図１に示すデジタルカメラ１０の内部ブロック構成図
【図５】図１に示すデジタルカメラ１０の固体撮像素子２１ｂにて、撮影者側ファインダ覗き窓１７から見える被写体の光像を撮影するときの状態を示す図
【図６】図１に示すデジタルカメラ１０の固体撮像素子２１ｂにて液晶表示装置６１に表示された画像を撮影するときの状態を示す図
【図７】図４に示したデジタルカメラにおけるメモリ３６と、撮影範囲計算部３７と、表示制御部４１の詳細を説明するための図
【図８】図１に示すデジタルカメラ１０の撮影範囲計算部３７の処理内容を説明するための図
【図９】図１に示すデジタルカメラ１０の撮影範囲計算部３７の処理内容を説明するための図
【図１０】図１に示すデジタルカメラ１０の撮影範囲計算部３７の処理内容を説明するための図
【図１１】図１に示すデジタルカメラ１０の撮影範囲計算部３７の処理内容を説明するための図
【図１２】図１に示すデジタルカメラ１０の動作を説明するためのフローチャート
【図１３】図１２に示すステップＳ７の撮影範囲表示処理の詳細を示すフローチャート
【図１４】図１に示すデジタルカメラ１０に歪みが大きいレンズが装着された場合の撮影範囲計算部３７の処理内容を説明するための図
【図１５】歪みの種類を説明するための
【図１６】図１に示すデジタルカメラ１０に歪みが大きいレンズが装着された場合の撮影範囲計算部３７の処理内容を説明するための図
【図１７】図１に示すデジタルカメラ１０に歪みが大きいレンズが装着された場合の撮影範囲計算部３７の処理内容を説明するための図
【図１８】図１に示すデジタルカメラ１０に歪みが大きいレンズが装着された場合の撮影範囲計算部３７の処理内容を説明するための図
【図１９】図１に示すデジタルカメラの変形例を示す内部ブロック図
【図２０】図１９に示したデジタルカメラ２０の撮影範囲調整処理を説明するためのフローチャート
【図２１】図１９に示したデジタルカメラ２０にデジタルカメラ１００を接続した状態を示す図
【発明を実施するための形態】
【００２２】
以下、本発明の実施形態について図面を参照して説明する。以下では撮像装置としてのデジタルカメラについて説明する。
【００２３】
図１は、本発明の一実施形態を説明するためのデジタルカメラの外観斜視図である。図２は、図１に示すデジタルカメラ１０を横から見た図である。
【００２４】
デジタルカメラ１０は、矩形の筐体１１を備え、正面中央に沈胴式のレンズ鏡筒１２が設けられ、レンズ鏡筒１２内に撮影レンズ（焦点位置合わせレンズやズームレンズ等）１３が収納されている。レンズ鏡筒１２の表面には、コンバージョンレンズがデジタルカメラ１０に取り付けられたことを検出するためのスイッチ１８が設けられている。
【００２５】
筐体１１の上端面の片側にはシャッタレリーズボタン１４が設けられ、シャッタレリーズボタン１４とは反対側の角の筐体１１内には、詳細は後述するハイブリッド形式のファインダ装置１５が設けられている。ファインダ装置１５の被写体側ファインダ窓１６が、筐体１１正面の角部に設けられ、その背面側に、ファインダ装置１５の撮影者側ファインダ覗き窓１７が設けられている。
【００２６】
図３は、図２に示したデジタルカメラ１０のレンズ鏡筒１２にコンバージョンレンズＣＬが装着された状態を示す図である。図３に示したように、コンバージョンレンズＣＬがレンズ鏡筒１２に装着されると、スイッチ１８がレンズ鏡筒１２側に押し込まれてオンするようになっている。
【００２７】
図４は、図１に示すデジタルカメラ１０の内部ブロック構成図である。
【００２８】
デジタルカメラ１０は、ＣＣＤ型の固体撮像素子２１ａと、固体撮像素子２１ａの前段に置かれた撮影レンズ１３（ズームレンズを１３ａ、フォーカス用レンズを１３ｂとする。）と、絞り（アイリス）２４と、固体撮像素子２１ａの出力信号（撮影画像信号）をアナログ信号処理するＣＤＳＡＭＰ（相関二重サンプリング（ＣＤＳ），利得制御増幅器（ＡＭＰ））２５ａと、ＣＤＳＡＭＰ２５ａの出力信号をデジタル信号に変換するアナログデジタル（Ａ／Ｄ）変換器２６ａと、ファインダ装置１５と、ファインダ装置１５に内蔵されるＣＣＤ型の固体撮像素子２１ｂの出力信号（撮影画像信号）をアナログ信号処理するＣＤＳＡＭＰ（相関二重サンプリング（ＣＤＳ），利得制御増幅器（ＡＭＰ））２５ｂと、ＣＤＳＡＭＰ２５ｂの出力信号をデジタル信号に変換するアナログデジタル（Ａ／Ｄ）変換器２６ｂとを備える。
【００２９】
なお、固体撮像素子２１ａ，２１ｂは、この例ではＣＣＤ型であるが、勿論、ＣＭＯＳ型等の他の形式の固体撮像素子でも良い。
【００３０】
ファインダ装置１５は、被写体側ファインダ窓１６と撮影者側ファインダ覗き窓１７との間に、対物レンズ６５と、ＯＶＦシャッタ６２と、ハーフミラー６３を内部に持つプリズム６６とがこの順に収納されている。
【００３１】
ＯＶＦシャッタ６２は、対物レンズ６５とプリズム６６との間に挿入されて光を遮蔽する状態（「閉」状態）と、対物レンズ６５とプリズム６６との間から退避させられて光を遮蔽しない状態（「開」状態）とをとることができる。ＯＶＦシャッタ６２は、遮蔽板を出し入れするものであってもよいし、液晶シャッタとしてもよい。
【００３２】
ハーフミラー６３は、被写体からの入射光軸Ｌに対して斜め４５度に設置されており、ハーフミラー６３に隣接しかつ入射光軸Ｌに対し平行にＥＶＦ用の液晶表示装置６１が設置されている。これにより、ＯＶＦシャッタ６２が「開」状態のときには、ハーフミラー６３を透過した被写体からの入射光と、液晶表示装置６１から発せられハーフミラー６３で反射した光とが重なった状態で撮影者の目に投影される。
【００３３】
ハーフミラー６３は、好適には、５０％の光を透過し５０％の光を反射する例えば銀膜などで構成されるが、この比率に限るものではない。他の比率、例えば、７０％（又は６０％）の光を透過し３０％（又は４０％）の光を反射する膜でも良く、或いは逆に、３０％（又は４０％）の光を透過し７０％（又は６０％）の光を反射する膜でも良く、透過光と反射光とが両方存在すればよい。
【００３４】
対物レンズ６５のズーム倍率と、ズームレンズ１３ａのズーム倍率とは連動して変化するように、両レンズ６５，１３ａの駆動機構は内部で連結されており、ズームレンズ１３ａがズームして被写体を拡大表示したとき、ファインダ内のＯＶＦ光学像も拡大表示される様になっている。
【００３５】
ＯＶＦシャッタ６２を「開」状態としかつＥＶＦ用の液晶表示装置６１を非表示とすることで、ファインダ装置１５は光学式ビューファインダ（ＯＶＦ）として使用され、ＯＶＦシャッタ６２を「閉」状態としかつＥＶＦ用の液晶表示装置６１を表示することで、ファインダ装置１５は電子ビューファインダ（ＥＶＦ）として使用されることになる。
【００３６】
また、ＥＶＦ用の液晶表示装置６１に固体撮像素子２１ａで撮影される範囲を示す撮影範囲情報等の情報を表示させ、ＯＶＦシャッタ６２を「開」状態とすることで、被写体の構図を光学式ビューファインダで確認しながら、撮影範囲情報等を同時に同一ファインダ枠内で確認することができる。
【００３７】
ファインダ装置１５は、更に、撮影者側ファインダ覗き窓１７から見える被写体の光像と、液晶表示装置６１で表示されている画像とをそれぞれ撮影するために、プリズム６６を挟んで液晶表示装置６１と対向する位置に、固体撮像素子２１ｂが設けられ、プリズム６６と固体撮像素子２１ｂとの間には撮影レンズ１３ｃが設けられている。
【００３８】
図５に示したように、ＯＶＦシャッタ６２が「開」状態でかつ液晶表示装置６１の表示がオフの状態では、ファインダ窓１６に入射してきた被写体光のうち、プリズム６６のハーフミラー６３を反射した光が撮影レンズ１３ｃを介して固体撮像素子２１ｂに入射され、固体撮像素子２１ｂにて、撮影者側ファインダ覗き窓１７から見える被写体の光像を撮影することができる。
【００３９】
また、図６に示したように、ＯＶＦシャッタ６２が「閉」状態でかつ液晶表示装置６１の表示がオンの状態では、液晶表示装置６１から発せられた表示画像光のうち、プリズム６６のハーフミラー６３を透過した光が撮影レンズ１３ｃを介して固体撮像素子２１ｂに入射され、固体撮像素子２１ｂにて液晶表示装置６１に表示された画像を撮影することができる。
【００４０】
撮影者側ファインダ覗き窓１７から見える被写体の範囲（ＯＶＦ視野）のサイズと、液晶表示装置６１の表示画面サイズとは同じになるように、ファインダ装置１５の設計がなされている。
【００４１】
なお、固体撮像素子２１ｂは、固体撮像素子２１ａと同じものを用いてもよいが、カメラの低コスト化、小型化を図るために、本実施形態では、固体撮像素子２１ａよりも記録画素数の少ないものを用いている。
【００４２】
また、撮影レンズ１３ｃは、焦点調節ができることが好ましいが、パンフォーカスレンズであってもよい。
【００４３】
デジタルカメラ１０は、更に、Ａ／Ｄ変換器２６ａ，２６ｂからそれぞれ出力されるデジタルの撮影画像信号を取り込む画像入力コントローラ３１と、このデジタルカメラ１０の全体を統括制御する演算処理装置（ＣＰＵ）３２と、画像入力コントローラ３１で取り込まれた撮影画像信号を画像処理する画像信号処理回路３３と、固体撮像素子２１ａから出力される撮影画像信号から焦点位置を検出するＡＦ検出回路３４と、露出量，ホワイトバランスを自動検出するＡＥ＆ＡＷＢ検出回路３５と、ワークメモリとして使用する記憶手段としてのメモリ（ＳＤＲＡＭ）３６と、コンバージョンレンズＣＬがデジタルカメラ１０のレンズ鏡筒１２に装着されたときの固体撮像素子２１ａの撮影範囲を算出する撮影範囲計算部３７と、デジタルカメラ１０の動きを検出する動き検出回路３８と、画像処理後の撮影画像データをＪＰＥＧ画像やＭＰＥＧ画像に圧縮する圧縮処理回路３９と、カメラ背面等に設けられた液晶表示装置４０やファインダ装置１５内の液晶表示装置（ＥＶＦパネル）６１に撮影画像やライブビュー画像，後述の各種情報を表示させる表示制御部４１と、記録メディア４２に撮影画像データを保存するメディアコントローラ４３と、これらを相互接続するバス４４とを備える。
【００４４】
このデジタルカメラ１０は、更に、ズームレンズ１３ａの駆動モータに駆動パルスを供給するモータドライバ４６と、フォーカスレンズ１３ｂの位置を駆動するモータに駆動パルスを供給するモータドライバ４７と、絞り２４の絞り制御を行う駆動モータに駆動パルスを供給するモータドライバ４８と、ＯＶＦシャッタ６２の位置制御を行うモータに駆動パルスを供給するモータドライバ５３と、固体撮像素子２１ａ，２１ｂに駆動タイミングパルスを独立に供給するタイミングジェネレータ４９とを備え、これらは、ＣＰＵ３２からの指令に基づいて動作する。また、ＣＤＳＡＭＰ２５ａ，２５ｂもＣＰＵ３２からの指令に基づいて動作する。
【００４５】
ＣＰＵ３２には、更に、撮影モード／再生モードを切り換えるスイッチ５１と、２段シャッタのシャッタレリーズボタン５２とが接続され、これらスイッチ５１，５２から入力されるユーザ指示に基づき、ＣＰＵ３２はデジタルカメラ１０を制御する。また、ＣＰＵ３２には、図１，２に示したスイッチ１８が接続され、ＣＰＵ３２は、このスイッチ１８のオンオフにより、コンバージョンレンズＣＬが装着されたかどうかを検出する。
【００４６】
このように構成されたデジタルカメラ１０は、撮影レンズ１３にコンバージョンレンズＣＬが装着されていない状態では、撮影者側ファインダ覗き窓１７から見える被写体の範囲（ＯＶＦ視野）と、固体撮像素子２１ａで撮影される被写体の範囲（撮影範囲）とに多少のずれはあるものの、このずれ量は実用上問題ない程度となっている。しかし、撮影レンズ１３にコンバージョンレンズＣＬが装着された状態ではＯＶＦ視野と撮影範囲とが大きくずれる。
【００４７】
そこで、このデジタルカメラ１０は、撮影レンズ１３にコンバージョンレンズＣＬが装着された状態において、撮影範囲計算部３７が撮影範囲を算出し、この撮影範囲を示す情報を液晶表示装置６１に表示させる撮影範囲調整機能を搭載している。このようにすることで、撮影者は、ＯＶＦ視野に対する撮影範囲の大きさ及び位置を確認することができ、撮影後のイメージを容易に得ることができるようになる。以下では、撮影範囲を算出する具体的な方法について説明する。
【００４８】
撮影範囲計算部３７が撮影範囲を算出するのに先立ち、ＣＰＵ３２が以下のような処理を行う。
【００４９】
ＣＰＵ３２は、スイッチ１８がオンされると、固体撮像素子２１ａに撮影を行わせ、当該撮影で固体撮像素子２１ａから出力される撮影画像信号に対し画像信号処理回路３３で画像処理して得られた撮影画像データに基づく画像を、表示制御部４１を介して液晶表示装置６１に表示させる。
【００５０】
ＣＰＵ３２は、この状態でＯＶＦシャッタ６２を「閉」状態に制御して、固体撮像素子２１ｂにより液晶表示装置６１に表示中の画像を撮影させる。画像信号処理回路３３は、この撮影で固体撮像素子２１ｂから出力された撮影画像信号を画像処理して得た撮影画像データ（以下、ＥＶＦ画像データという）を、メモリ３６に記憶する。
【００５１】
次に、ＣＰＵ３２は、液晶表示装置６１をオフにした状態でＯＶＦシャッタ６２を「開」状態に制御し、固体撮像素子２１ｂにより、ファインダ窓１６を通して入射する被写体の光像（撮影者側ファインダ覗き窓１７から見える被写体の光像）を撮影させる。画像信号処理回路３３は、この撮影で固体撮像素子２１ｂから出力された撮影画像信号を画像処理して得た撮影画像データを左右反転した撮影画像データ（以下、ＯＶＦ画像データという）を、メモリ３６に記憶する。
【００５２】
撮影範囲計算部３７は、このようにしてメモリ３６に記憶されたＯＶＦ画像データとＥＶＦ画像データを用いて、コンバージョンレンズＣＬが装着された状態での固体撮像素子２１ａの撮影範囲等を示す表示情報を生成し、生成した表示情報を、表示制御部４１を介して液晶表示装置６１に表示させる。
【００５３】
液晶表示装置６１に表示される情報は、ハーフミラー６３で左右反転されるため、表示制御部４１は、表示情報を左右反転させて液晶表示装置６１に表示させる。
【００５４】
これにより、撮影者側ファインダ覗き窓１７を覗いている撮影者には、ファインダ窓１６を通して見える被写体の光像に、液晶表示装置６１で表示された表示情報が重畳された像が見えることになる。
【００５５】
図７は、図４に示したデジタルカメラにおけるメモリ３６と、撮影範囲計算部３７と、表示制御部４１の詳細を説明するための図である。
【００５６】
メモリ３６は、前述したＥＶＦ画像データが記憶されるＥＶＦ画像保存領域３６ａと、前述したＯＶＦ画像データが記憶されるＯＶＦ画像保存領域３６ｂとを備える。
【００５７】
撮影範囲計算部３７は、加工部３７ａと、相関計算部３７ｂと、表示情報生成部３７ｃとを備える。
【００５８】
加工部３７ａは、ＥＶＦ画像保存領域３６ａに記憶されたＥＶＦ画像データを複数の加工条件の各々で加工する処理を行う。
【００５９】
加工部３７ａは、例えば、ＥＶＦ画像データをα倍（αは整数）した後、水平方向にＸ画素（Ｘは整数）、垂直方向にＹ画素（Ｙは整数）平行移動する加工処理を、加工条件であるパラメータＰ＝（α，Ｘ，Ｙ）を変えて複数回行い、複数個のＥＶＦ画像データを生成する。
【００６０】
相関計算部３７ｂは、各加工条件で生成されたＥＶＦ画像データと、ＯＶＦ画像保存領域３６ｂに記憶されたＯＶＦ画像データとの相関量（累積絶対値誤差（ＳＡＤ）等）を算出し、算出した相関量を当該各加工条件と対応付けて記憶する。
【００６１】
なお、ＥＶＦ画像データはα倍されているため、ＯＶＦ画像データとサイズが一致しない可能性がある。このため、相関量の算出は、ＯＶＦ画像データとＥＶＦ画像データとで重複する範囲についてのみ行う。
【００６２】
表示情報生成部３７ｃは、相関計算部３７ｂに記憶された複数の相関量とそれに対応する加工条件の中から、相関量が最も大きいもの（最大相関量）に対応する加工条件Ｐｍａｘを読み出し、当該加工条件Ｐｍａｘに基づいて、液晶表示装置６１に表示させる表示情報を生成する。
【００６３】
表示制御部４１は、ＯＳＤ信号処理部４１ａを備え、このＯＳＤ信号処理部４１ａが、表示情報生成部３７ｃで生成された表示情報に基づく画像を、液晶表示装置６１に表示させる。
【００６４】
図８及び図９は、撮影範囲計算部３７の処理内容を説明するための図である。図８において、ＯＶＦ画像保存領域３６ｂに記憶されたＯＶＦ画像データをＦＩＧ８Ａに示し、ＥＶＦ画像保存領域３６ａに記憶されたＥＶＦ画像データをＦＩＧ８Ｂに示している。
【００６５】
図８のＦＩＧ８Ｃは、加工条件Ｐｍａｘで加工後のＥＶＦ画像データをＯＶＦ画像データに重ね合わせたイメージを示している。図８のＦＩＧ８Ｃをみて分かるように、この例では加工条件Ｐｍａｘに含まれるαが負の値になっている。
【００６６】
加工条件Ｐｍａｘが決まると、表示情報生成部３７ｃは、液晶表示装置６１の表示画面の周縁に枠７２を表示するための表示用画像データである基準画像データ（図９のＦＩＧ９Ａ）を当該加工条件Ｐｍａｘで加工する。
【００６７】
基準画像データは、表示情報生成部３７ｃで生成してもよいし、表示情報生成部３７ｃが内部メモリから予め記憶されたものを読み出してもよい。ここでは加工条件Ｐｍａｘに含まれるαが負の値であるため、加工条件Ｐｍａｘで加工後の基準画像データは、液晶表示装置６１の表示画面のサイズ（ＥＶＦ表示サイズ）よりも小さくなる（ＦＩＧ９Ｂ）。
【００６８】
ＦＩＧ９Ａに示した基準画像データのサイズは、コンバージョンレンズＣＬを装着していないときの固体撮像素子２１ａの撮影範囲の大きさに対応する。このため、加工条件Ｐｍａｘで加工後の基準画像データのサイズが、コンバージョンレンズＣＬを装着した状態での撮影範囲の大きさに対応する。
【００６９】
表示情報生成部３７ｃは、加工条件Ｐｍａｘで加工した基準画像データに基づく画像を反転させた画像を、ＯＳＤ信号処理部４１ａを介して液晶表示装置６１に表示させる。これにより、撮影者側ファインダ覗き窓１７からは、ＦＩＧ９Ｃに示すように、被写体の光像に加工条件Ｐｍａｘで加工後の基準画像データに基づく枠７２（撮影範囲に対応する枠）が重畳された像を確認することができる。したがって、撮影者は、撮影後のイメージを容易に得ることができるようになる。
【００７０】
なお、図９の説明では、加工条件Ｐｍａｘで加工後の基準画像データのサイズが液晶表示装置６１の表示画面サイズよりも小さいため、当該表示画面内に枠７２を表示させることができる。
【００７１】
しかし、加工条件Ｐｍａｘで加工後の基準画像データのサイズが液晶表示装置６１の表示画面サイズよりも大きい場合には、枠７２をそのまま液晶表示装置６１に表示させることができない。
【００７２】
この場合には、表示情報生成部３７ｃが、基準画像データとして図１０のＦＩＧ１０Ａに示したような基準画像データを生成又は取得する。ＦＩＧ１０Ａに示す基準画像データは、液晶表示装置６１の表示画面内において水平方向及び垂直方向を示すグリッド線７３を表示し、表示画面の周縁に枠７２を表示するためのデータである。
【００７３】
表示情報生成部３７ｃは、ＦＩＧ１０Ａの基準画像データを加工条件Ｐｍａｘで加工する。加工条件Ｐｍａｘで加工した基準画像データのサイズは、液晶表示装置６１の表示画面サイズよりも大きいものとする。
【００７４】
表示情報生成部３７ｃは、ＦＩＧ１０Ａの基準画像データを加工条件Ｐｍａｘで加工した後の基準画像データに、液晶表示装置６１の表示画面にその周縁を示す枠７４を表示させるためのデータを追加したＦＩＧ１０Ｂに示すようなデータを生成する。
【００７５】
ＦＩＧ１０Ｂにおいて、枠７４で囲まれる領域のサイズはＯＶＦ視野の大きさに対応し、枠７２で囲まれる領域のサイズは撮影範囲の大きさに対応する。このため、ＦＩＧ１０Ｂに示したデータに基づく画像の左右反転画像を液晶表示装置６１に表示できれば、撮影範囲がＯＶＦ視野より大きい場合でも、撮影範囲を認識させることができる。
【００７６】
ＦＩＧ１０Ｂに示したデータに基づく画像はこのままでは液晶表示装置６１に表示できないため、表示情報生成部３７ｃは、ＦＩＧ１０Ｂに示すデータを縮小した縮小データを生成する。この縮小データには、撮影範囲に対応する枠を表示するための情報と、ＯＶＦ視野に対応する枠を表示するための情報と、撮影範囲に設定されるグリッド線の全体像を縮小して表示するための情報とが含まれる。
【００７７】
また、表示情報生成部３７ｃは、ＦＩＧ１０Ｂに示すデータのうち、液晶表示装置６１に表示可能な範囲（枠７４で囲まれる範囲）にあるグリッド線７３を表示するためのグリッド線データを生成し、このグリッド線データと上記縮小データを表示情報とする。このグリッド線データは、撮影範囲に設定されるグリッド線のうち撮影者側ファインダ覗き窓１７から見える範囲のグリッド線を撮影範囲に設定される大きさのままで表示するための情報となる。
【００７８】
そして、表示情報生成部３７ｃは、縮小データに基づく画像を左右反転させた画像と、グリッド線データに基づくグリッド線を左右反転させたものとを、液晶表示装置６１に表示させる。
【００７９】
これにより、撮影者側ファインダ覗き窓１７からは、図１１に示すように、被写体の光像に、撮影範囲に対応する枠７２（グリッド線７３付き）と、ＯＶＦ視野に対応する枠７４とが、実際の撮影範囲とＯＶＦ視野の相対関係に対応する形で重畳された像を確認することができる。更に、被写体の光像には、撮影範囲のグリッド線に対応するグリッド線７３が撮影範囲に設定される大きさのままで重畳されて見える。
【００８０】
図１１に示したように、枠７２，７４及びグリッド線７３が撮影者側ファインダ覗き窓１７から見える被写体の光像に重畳されることで、ファインダから見える範囲より撮影範囲が広い場合であっても、撮影範囲のどの辺りがファインダから見えているのかを確認することができる。したがって、撮影者は、撮影後のイメージを容易に得ることができるようになる。また、ファインダ内で撮影範囲のグリッド線に対応するグリッド線７３を確認することもできるため、構図を決めやすくなるという効果を得ることもできる。
【００８１】
このように、このデジタルカメラ１０によれば、撮影範囲がＯＶＦ視野よりも小さいとき（加工条件Ｐｍａｘで加工後のＥＶＦ画像データサイズが表示画面サイズよりも小さいとき）には、図９のＦＩＧ９Ｃに示すように撮影範囲を示す枠だけをＯＶＦ視野内に重畳表示し、撮影範囲がＯＶＦ視野よりも大きいとき（加工条件Ｐｍａｘで加工後のＥＶＦ画像データサイズが表示画面サイズよりも大きいとき）には、図１１に示すように撮影範囲を示す枠とＯＶＦ視野を示す枠とが縮小された枠をＯＶＦ視野内に重畳表示することができる。このため、撮影者は、撮影者側ファインダ覗き窓１７から見える枠の表示形態を見るだけで、撮影範囲とＯＶＦ視野の大きさの関係を瞬時に把握することができる。この結果、使い勝手のよいデジタルカメラを実現することができる。
【００８２】
次に、デジタルカメラ１０の動作についてフローチャートを用いて説明する。
【００８３】
図１２は、図１に示すデジタルカメラ１０の動作を説明するためのフローチャートである。
【００８４】
ステップＳ１では、ＣＰＵ３２が、スイッチ１８がオンされたかどうかを判定する。スイッチ１８がオンされた場合はステップＳ２の処理を行い、スイッチ１８がオフの場合は処理を終了する。
【００８５】
ステップＳ２では、ＣＰＵ３２が主撮像系（撮影レンズ１３、固体撮像素子２１ａ、ＣＤＳＡＭＰ２５ａ、ＡＤ変換器２６ａ）で撮影を行わせ、この撮影で得られた撮影画像データに基づいて、撮影した被写体が撮影範囲調整処理を実施可能なものかどうかを判定する。
【００８６】
例えば、特徴点が少ない被写体では、相関計算部３７ｂで算出する複数の相関量に差がなくなって最大相関量を得ることが難しくなるため、撮影範囲調整処理を実施不可能であると判定する。一方、特徴点が多い被写体では、相関計算部３７ｂで算出する複数の相関量に差がつきやく、最大相関量を得ることが容易になるため、撮影範囲調整処理を実施可能であると判定する。
【００８７】
ステップＳ２の判定がＮＯであった場合、ＣＰＵ３２は、撮影範囲が未調整であるとして、デジタルカメラ１０の次の起動時に撮影範囲の調整を行うフラグを立て（ステップＳ９）、処理を終了する。
【００８８】
ステップＳ２の判定がＹＥＳであった場合、ＣＰＵ３２は、副撮像系（固体撮像素子２１ｂ、ＣＤＳＡＭＰ２５ｂ、Ａ／Ｄ変換器２６ｂ）を起動する（ステップＳ３）。
【００８９】
次に、ＣＰＵ３２は、ＯＶＦシャッタ６２を「開」状態に制御し、液晶表示装置６１を非表示にした状態で、固体撮像素子２１ｂにより撮影を行わせる（ステップＳ４）。この撮影で得られたＯＶＦ画像データはＯＶＦ画像保存領域３６ｂに記憶される。
【００９０】
次に、ＣＰＵ３２は、固体撮像素子２１ａで被写体を撮影させ、この撮影で得られた撮影画像データに基づく画像を液晶表示装置６１に表示させ、更にＯＶＦシャッタ６２を「閉」状態に制御した状態で、固体撮像素子２１ｂにより撮影を行わせる（ステップＳ５）。この撮影で得られたＥＶＦ画像データはＥＶＦ画像保存領域３６ａに記憶される。
【００９１】
次に、ＣＰＵ３２は、ステップＳ４の撮影とステップＳ５の撮影との間でのデジタルカメラ１０の動き量を動き検出回路３８から取得し、当該動き量が閾値以下かどうかを判定する（ステップＳ６）。
【００９２】
ステップＳ６の判定がＮＯであった場合、ＣＰＵ３２は、メモリ３６に記憶したＯＶＦ画像データ及びＥＶＦ画像データを消去した後、ステップＳ４に処理を戻す。
【００９３】
ステップＳ６の判定がＹＥＳであった場合、ＣＰＵ３２は、メモリ３６に記憶したＯＶＦ画像データ及びＥＶＦ画像データに基づいて撮影範囲を算出し、当該撮影範囲を液晶表示装置６１に表示させる撮影範囲表示処理を実行し（ステップＳ７）、その後、処理を終了する。
【００９４】
図１３は、図１２に示すステップＳ７の撮影範囲表示処理の詳細を示すフローチャートである。
【００９５】
撮影範囲表示処理を開始すると、撮影範囲計算部３７は、ＥＶＦ画像データをα倍した後、水平方向にＸ画素、垂直方向にＹ画素平行移動して、当該ＥＶＦ画像データを加工する（ステップＳ７１）。
【００９６】
次に、撮影範囲計算部３７は、ステップＳ７１で加工されたＥＶＦ画像データとＯＶＦ画像データとの相関量を算出する（ステップＳ７２）。
【００９７】
次に、撮影範囲計算部３７は、ステップＳ７１で実行した加工の加工条件とステップＳ７２で算出した相関量とを対応付けて内部メモリに記憶する（ステップＳ７３）。
【００９８】
次に、撮影範囲計算部３７は、予め決められた全ての加工条件で加工を行ったかどうかを判定し、全ての加工条件で加工を終了していない場合（ステップＳ７４：ＮＯ）は、ステップＳ７８で加工条件（加工パラメータＰ＝（α、Ｘ、Ｙ）を変更して、ステップＳ７１に処理を戻す。
【００９９】
全ての加工条件で加工が終了した場合（ステップＳ７４：ＹＥＳ）、撮影範囲計算部３７は、内部メモリに記憶した複数の相関量のうち最も大きなものに対応する加工条件Ｐｍａｘを読み出す（ステップＳ７５）。
【０１００】
次に、撮影範囲計算部３７は、読み出した加工条件Ｐｍａｘに基づいて表示情報を生成する（ステップＳ７６）。
【０１０１】
次に、表示制御部４１が、ステップＳ７６で生成された表示情報に基づいて、撮影範囲を示す枠、ＯＶＦ視野を示す枠、撮影範囲のグリッド線を示す枠等を液晶表示装置６１に表示させる（ステップＳ７７）。
【０１０２】
なお、撮影範囲計算部３７の加工部３７ａが行う加工は、上述したものに限らず、画像の歪みを変化させる加工を行ってもよい。以下では、コンバージョンレンズＣＬとして超広角レンズ等の歪みが大きいレンズを装着した場合を例にして、撮影範囲計算部３７の処理内容を説明する。
【０１０３】
図１４は、図１に示すデジタルカメラ１０に歪みが大きいレンズが装着された場合の撮影範囲計算部３７の処理内容を説明するための図である。
【０１０４】
ＯＶＦ画像保存領域３６ｂに記憶されたＯＶＦ画像データを図１４のＦＩＧ１４Ａに示し、ＥＶＦ画像保存領域３６ａに記憶されたＥＶＦ画像データを図１４のＦＩＧ１４Ｂに示す。ＦＩＧ１４ＢのＥＶＦ画像データには、水平方向及び垂直方向を示すグリッド線も破線で示してある。
【０１０５】
図１４のＦＩＧ１４Ｃは、加工条件Ｐｍａｘで加工後のＥＶＦ画像データをＯＶＦ画像データに重ね合わせたイメージを示している。
【０１０６】
図１４に示す例では、ＥＶＦ画像データが図１５に示すようなタル型歪みを持つものになっている。このため、加工部３７ａは、歪みを変化させる加工を、加工条件を変えて複数回行う。
【０１０７】
歪み加工方法としては、像高（光軸からの距離）ｈを多元多項式で変換する方法が良く知られており、例えば下記の様な補正式で歪み加工を行うことが可能である。下記補正式において、ｈ’は補正後の像高であり、Ａ０〜Ａ４は補正係数である。
【０１０８】
ｈ’＝Ａ０＋Ａ１ｈ＋Ａ２ｈ２＋Ａ３ｈ３＋Ａ４ｈ４
【０１０９】
この式において、高次の補正係数が正値を示すと、画像データに対し、図１５に示したピンクッション型歪みを与えることができる。逆に、高次の補正係数が負値を示すと、図１５に示したタル型歪みを与えることができる。したがって、加工部３７ａは、上記式の各係数を増減させることで歪み加工の加工条件を変えることができる。
【０１１０】
ＦＩＧ１４Ｂに示すＥＶＦ画像データを加工条件Ｐｍａｘで加工した後のＥＶＦ画像データは、ＦＩＧ１４Ｃのグリッド線を見て分かるように、図１４に示した例では、加工条件Ｐｍａｘが、画像データに対してピンクッション型歪みを与える加工条件となっている。
【０１１１】
加工条件Ｐｍａｘが決まると、表示情報生成部３７ｃは、表示画面の周縁を示す枠８２と、表示画面内で垂直方向及び水平方向を示すグリッド線８３とを液晶表示装置６１に表示させるための基準画像データ（図１６のＦＩＧ１６Ａ）を生成又は取得し、これを加工条件Ｐｍａｘで加工する。加工条件Ｐｍａｘで加工後の基準画像データのサイズは液晶表示装置６１の表示画面サイズよりも大きくなる。
【０１１２】
表示情報生成部３７ｃは、加工条件Ｐｍａｘで加工した基準画像データのサイズが表示画面サイズよりも小さい場合には、この基準画像データに基づく画像を反転させた画像を、ＯＳＤ信号処理部４１ａを介して液晶表示装置６１に表示させればよい。
【０１１３】
一方、加工条件Ｐｍａｘで加工後の基準画像データのサイズが液晶表示装置６１の表示画面サイズよりも大きい場合、表示情報生成部３７ｃは、加工条件Ｐｍａｘで加工後の基準画像データに、表示画面の周縁を示す枠８４を液晶表示装置６１に表示させるためのデータを追加したＦＩＧ１６Ｂに示すようなデータを生成し、これを加工条件Ｐｍａｘとは正反対の加工条件（逆Ｐｍａｘ）で加工する。逆Ｐｍａｘは、Ｐｍａｘの係数の符号を逆にしたものである。
【０１１４】
ＦＩＧ１６Ｂに示すデータを逆Ｐｍａｘ加工すると、ＦＩＧ１６Ｃに示すようなデータが得られる。表示情報生成部３７ｃは、ＦＩＧ１６Ｂに示すデータのうち、液晶表示装置６１に表示可能な範囲（枠８４で囲まれる範囲）にあるグリッド線８３を表示するためのデータを抽出してグリッド線データとする。このグリッド線データは、撮影範囲に設定されるグリッド線のうち撮影者側ファインダ覗き窓１７から見える範囲のグリッド線を撮影範囲に設定される大きさのままで表示するための情報となる。
【０１１５】
表示情報生成部３７ｃは、ＦＩＧ１６Ｃに示したデータを縮小して縮小データを生成し、この縮小データと上記グリッド線データとを表示情報とする。この縮小データには、撮影範囲に対応する矩形の枠を表示するための情報と、ＯＶＦ視野に対応する枠であって、当該矩形の枠を逆Ｐｍａｘ加工して得られるものに相当する歪曲した枠を表示するための情報と、撮影範囲に設定されるグリッド線の全体像を縮小して表示するための情報とが含まれる。
【０１１６】
続いて、表示情報生成部３７ｃは、縮小データに基づく画像を左右反転させた画像と、グリッド線データに基づくグリッド線８３を左右反転させたものとを、液晶表示装置６１に表示させる。
【０１１７】
これにより、撮影者側ファインダ覗き窓１７からは、図１７に示すように、被写体の光像に、撮影範囲に対応する矩形枠８２と、ＯＶＦ視野に対応する枠８４（矩形枠８２を逆Ｐｍａｘ加工したものに相当）とが重畳された像を確認することができる。更に、被写体の光像には、撮影範囲に設定されるグリッド線のうち撮影者側ファインダ覗き窓１７から見える範囲にあるグリッド線８３が撮影範囲に設定される大きさのままで重畳される。また、枠８２内には、撮影範囲のグリッド線の全体が実際の撮影範囲に設定される大きさよりも縮小されて重畳される。
【０１１８】
なお、液晶表示装置６１には、ＦＩＧ１６Ｂに示したデータを縮小したデータに基づく画像の反転画像を表示させてもよい。上述したように、ＦＩＧ１６Ｂに示したデータを逆Ｐｍａｘ加工し、これを縮小したデータに基づく画像の反転画像を表示させることで、撮影範囲をより感覚的に理解させることができる。
【０１１９】
また、コンバージョンレンズＣＬとして魚眼レンズが装着された場合も、撮影範囲計算部３７が歪み加工を行って加工条件Ｐｍａｘを算出すればよい。図１８は、図１に示すデジタルカメラ１０に魚眼レンズが装着された場合に、撮影者側ファインダ覗き窓１７から見える光像を示した図である。
【０１２０】
図１８に示すように、撮影者側ファインダ覗き窓１７からは、被写体の光像に、撮影範囲を示す枠９１（撮影範囲に設定されるグリッド線９３の全体像付き）と、ＯＶＦ視野を示す枠９４とが重畳された像を確認することができる。更に、被写体の光像には、実際の撮影範囲に設定されるグリッド線９３のうちＯＶＦ視野から見える部分がそのままの大きさで重畳される。
【０１２１】
コンバージョンレンズＣＬには、画角に歪みが生じないもの、超広角レンズや魚眼レンズのように画角に歪みが生じるもの等がある。これらの全てのレンズに対応するために、デジタルカメラ１０の撮影範囲計算部３７の加工部３７ａは、実施する加工処理として、拡大処理、縮小処理、平行移動処理、歪み加工処理、及び回転処理を行うことが好ましいが、これらの処理のうちの少なくとも１つを行う構成としても、少なくとも１種類のレンズには対応することができる。
【０１２２】
以上のように、デジタルカメラ１０によれば、コンバージョンレンズＣＬが装着された場合でも、撮影者側ファインダ覗き窓１７からは、図９のＦＩＧ９Ｃ、図１１、図１７、及び図１８に示すような像を確認することができる。このため、コンバージョンレンズＣＬによって画角が変更されてしまい、撮影範囲とＯＶＦ視野とが大きくずれてしまう場合であっても、撮影範囲とＯＶＦ視野との関係を知ることができ、撮影後のイメージを容易に得ることができる。
【０１２３】
また、デジタルカメラ１０によれば、固体撮像素子２１ｂで撮影して得たＯＶＦ画像データとＥＶＦ画像データとから加工条件Ｐｍａｘを決定し、この加工条件Ｐｍａｘに基づいて撮影範囲を液晶表示装置６１に表示させる構成であるため、コンバージョンレンズの焦点距離情報や歪みの情報が分からない場合でも、撮影範囲を正確に表示させることができる。
【０１２４】
超広角レンズや魚眼レンズを装着したときの撮影画像の歪みは、コンバージョンレンズと固体撮像素子２１ａとの組み合わせで決まる。このため、コンバージョンレンズから歪みの情報を取得できたとしても、この情報に基づいて算出した撮影範囲は正確ではない。デジタルカメラ１０によれば、ＯＶＦ視野を撮影したＯＶＦ画像データと、コンバージョンレンズを装着した状態での撮影範囲に相当する液晶表示装置６１の表示画像を撮影したＥＶＦ画像データとを用いて撮影範囲を算出しているため、正確な撮影範囲の表示が可能となる。
【０１２５】
以下では、図１に示すデジタルカメラ１０の変形例について列挙する。
【０１２６】
（変形例１）
撮影範囲計算部３７は、ＥＶＦ画像データではなくＯＶＦ画像データを加工し、加工したＯＶＦ画像データとＥＶＦ画像データとの相関量を算出し、最も相関量が大きくなるときの加工条件Ｐｍａｘに基づいて撮影範囲を算出するようにしてもよい。ただし、この場合は、基準画像データをＰｍａｘで加工するのではなく、逆Ｐｍａｘ（パラメータの正負を逆転させたもの）で加工して、図９のＦＩＧ９Ｂ、図１０のＦＩＧ１０Ｂ、図１６のＦＩＧ１６Ｂに示すようなデータを生成する必要がある。また、図１６のＦＩＧ１６Ｃに示すデータは、図１６のＦＩＧ１６Ｂに示すデータをＰｍａｘ加工して生成する必要がある。
【０１２７】
（変形例２）
固体撮像素子２１ｂで撮影される液晶表示装置６１の表示画像は、固体撮像素子２１ａで被写体を撮影して得られた画像である。このため、ＥＶＦ画像保存領域３６ａに記憶するＥＶＦ画像データは、固体撮像素子２１ａで撮影して得られた撮影画像データとしてもよい。このようにした場合、撮影範囲を算出するために、液晶表示装置６１を起動させなくて済むと共に、固体撮像素子２１ｂによる撮影を１回に減らすことができ、消費電力を低減することができる。
【０１２８】
（変形例３）
図４の例では、固体撮像素子２１ｂを光軸Ｌ上に配置しない構成としているが、ＥＶＦ画像データとＯＶＦ画像データを取得するときにだけ、光軸Ｌ上に撮影レンズ１３ｃ及び固体撮像素子２１ｂを挿入し、それ以外のときには光軸Ｌ上から撮影レンズ１３ｃ及び固体撮像素子２１ｂを退避させるような構成としてもよい。
【０１２９】
（変形例４）
以上の説明では、表示情報生成部３７ｃが、加工条件Ｐｍａｘを用いた画像処理により液晶表示装置６１に表示させる表示情報を生成しているがこれに限らない。例えば、複数の加工条件毎に表示情報を対応付けて記録したデータベースをデジタルカメラ１０に持たせておき、表示情報生成部３７ｃが、Ｐｍａｘに対応する表示情報をこのデータベースから読み出して、これを液晶表示装置６１に表示させてもよい。
【０１３０】
（変形例５）
図１３のフローチャートでは、加工部３７ａが予め決められた加工条件の全てで加工を行ってから、ステップＳ７５以降の処理を行っているが、これに限らない。例えば、相関量の推移を見て、必要のない加工条件での加工については行わないようにしてもよい。
【０１３１】
（変形例６）
図１２のフローチャートでは、スイッチ１８がＯＮになったときにのみ、ステップＳ２以降の処理を行っているが、これに限らない。例えば、ユーザから指示があったときに、ステップＳ２以降の処理を実行してもよい。この場合は、スイッチ１８を設けなくてもよい。スイッチ１８がＯＮになったときにのみ、ステップＳ２以降の処理を行う場合には、自動的に撮影範囲の調整を行うことができるため、利便性が高い。
【０１３２】
（変形例７）
図１２のフローチャートにおいてステップＳ２は省略し、スイッチ１８がＯＮのときは常にステップＳ３以降を実行するようにしてもよい。
【０１３３】
（変形例８）
スイッチ１８がＯＮになってステップＳ２以降の処理が行われた後は、スイッチ１８がＯＦＦになるまで、図１２のステップＳ２以降の処理を行わないようにしてもよい。
【０１３４】
（変形例９）
デジタルカメラ１０が、撮影レンズ１３自体を交換できるようなものである場合には、撮影レンズ１３の交換がなされたときに、図１２のステップＳ２以降の処理を自動的に行うようにしてもよい。例えば、撮影レンズ１３の装着を検知するスイッチをデジタルカメラ１０に設けておき、このスイッチがオンになったときに、図１２のステップＳ２以降の処理を自動的に行えばよい。
【０１３５】
（変形例１０）
メモリ３６に記憶されるＯＶＦ画像データとＥＶＦ画像データは、デジタルカメラ１０内部で生成したものでなくてもよい。以下、詳細に説明する。
【０１３６】
図１９は、図１に示すデジタルカメラの変形例を示す内部ブロック図である。図１９に示したデジタルカメラ２０は、副撮像系（撮影レンズ１３ｃ、固体撮像素子２１ｂ、ＣＤＳＡＭＰ２５ｂ、及びＡＤ変換器２６ｂ）とスイッチ１８を削除し、画像入力インターフェース（ＩＦ）４５を追加した点を除いては、図４に示した構成と同じである。
【０１３７】
画像入力ＩＦ４５は、外部の機器からデジタルカメラ２０にデータを入力するためのインターフェースである。画像入力ＩＦ４５は、例えば、ＵＳＢ等の有線通信、赤外線及びブルートゥース等の無線通信を行うインターフェースで構成される。
【０１３８】
デジタルカメラ２０は、撮影範囲の算出に用いるＥＶＦ画像データ及びＯＶＦ画像データを、画像入力ＩＦ４５を介して外部から取得してメモリ３６に記憶するものである。以下、デジタルカメラ２０の撮影範囲調整動作について説明する。
【０１３９】
図２０は、図１９に示したデジタルカメラ２０の撮影範囲調整処理を説明するためのフローチャートである。
【０１４０】
まず、図２１に示すように、デジタルカメラ２０の撮影者側ファインダ覗き窓１７内を撮影できるように、別のデジタルカメラ１００のレンズを撮影者側ファインダ覗き窓１７に接触させた状態で、デジタルカメラ２０とデジタルカメラ１００とをＵＳＢケーブルで接続する。このＵＳＢケーブルの一端はデジタルカメラ２０の画像入力ＩＦ４５に接続される。
【０１４１】
次に、デジタルカメラ２０のＣＰＵ３２が固体撮像素子２１ａで撮影を行わせ、この撮影で得られた撮影画像データに基づいて、撮影した被写体が撮影範囲調整処理を実施可能なものかどうかを判定する（ステップＳ２１）。この判定は、図１２で説明した内容と同じである。
【０１４２】
ステップＳ２１の判定がＮＯであった場合、ＣＰＵ３２は、撮影範囲が未調整であるとして、デジタルカメラ２０の次の起動時に撮影範囲の調整を行うフラグを立て（ステップＳ２９）、処理を終了する。
【０１４３】
ステップＳ２１の判定がＹＥＳであった場合、ＣＰＵ３２は、ＯＶＦシャッタ６２を「開」状態に制御し、液晶表示装置６１を非表示にする。この状態で、ＣＰＵ３２は、画像入力ＩＦ４５を介してデジタルカメラ１００に撮影指示を出し、デジタルカメラ１００がＯＶＦ画像の撮影を行う（ステップＳ２２）。
【０１４４】
次に、ＣＰＵ３２は、固体撮像素子２１ａに撮影を行わせ、この撮影で得られた撮影画像データに基づく画像の左右反転画像を液晶表示装置６１に表示させ、ＯＶＦシャッタ６２を「閉」状態に制御する。この状態で、ＣＰＵ３２は、画像入力ＩＦ４５を介してデジタルカメラ１００に撮影指示を出し、デジタルカメラ１００がＥＶＦ画像の撮影を行う（ステップＳ２３）。
【０１４５】
次に、ＣＰＵ３２は、ステップＳ２２の撮影とステップＳ２３の撮影との間でのデジタルカメラ２０の動き量を動き検出回路３８から取得し、当該動き量が閾値以下かどうかを判定する（ステップＳ２４）。
【０１４６】
ステップＳ２４の判定がＮＯであった場合、ＣＰＵ３２は、ステップＳ２２に処理を戻す。
【０１４７】
ステップＳ２４の判定がＹＥＳであった場合、ＣＰＵ３２は、ステップＳ２２の撮影で得られたＯＶＦ撮影画像データと、ステップＳ２３の撮影で得られたＥＶＦ撮影画像データとを、画像入力ＩＦ４５を介してデジタルカメラ１００から取得し、これらをメモリ３６に記憶する（ステップＳ２５）。
【０１４８】
次に、ＣＰＵ３２は、ＥＶＦ撮影画像データと、ステップＳ２３で液晶表示装置６１に表示させた撮影画像データとを比較し、当該ＥＶＦ撮影画像データから当該撮影画像データと重複する領域を切り出して、切り出した撮影画像データをＥＶＦ画像データとしてＥＶＦ画像保存領域３６ａに記憶する（ステップＳ２６）。
【０１４９】
次に、ＣＰＵ３２は、ＯＶＦ撮影画像データから、ＥＶＦ撮影画像データと同じ切り出し範囲の撮影画像データを切り出して、切り出した撮影画像データをＯＶＦ画像データとしてＯＶＦ画像保存領域３６ｂに記憶する（ステップＳ２７）。この後は、メモリ３６に記憶したＥＶＦ画像データとＯＶＦ画像データを用いて、図１３に示した撮影範囲の表示処理が行われる（ステップＳ２８）。
【０１５０】
以上のように、デジタルカメラ２０のように副撮像系を持たないカメラであっても、外部からＥＶＦ画像データとＯＶＦ画像データを取得して、撮影範囲の算出を行うことができる。別のデジタルカメラがあれば撮影範囲の調整が可能であるため、例えば、量販店の店頭で撮影範囲を調整するサービス等も実施可能である。
【０１５１】
なお、以上の説明では、デジタルカメラ２０とデジタルカメラ１００との同期をとって撮影を行うものとしたが、被写体とカメラ位置の再現性が十分高い状況では、必ずしも同期をとる必要はない。その場合は、画像入力ＩＦ４５としてメディアコントローラ４３を使用可能である。即ち、デジタルカメラ１００で撮影したＥＶＦ撮影画像データ及びＯＶＦ撮影画像データを、記録メディア４２を介してデジタルカメラ２０に入力し、同様の処理を行うこともできる。
【０１５２】
以上説明したように、本明細書には以下の事項が開示されている。
【０１５３】
開示された撮像装置は、被写体の方向に向けられるファインダ窓と、前記ファインダ窓から入射する前記被写体の光像を覗くための撮影者側ファインダ覗き窓と、前記撮影者側ファインダ覗き窓から見える前記被写体の光像に情報を重畳させるための表示部とを含むファインダ装置を有する撮像装置であって、前記撮影者側ファインダ覗き窓から見える前記被写体の光像を撮影して得られる撮影画像データと、前記被写体を第一の固体撮像素子で撮影して得られる撮影画像データ又は当該撮影画像データに基づく画像を撮影して得られる撮影画像データとを取得する撮影画像データ取得部と、前記撮影画像データ取得部で取得された２つの前記撮影画像データの一方を複数の加工条件で加工する加工部と、前記加工部で加工された前記一方の撮影画像データと他方の前記撮影画像データとの相関量を演算する相関量演算部と、前記加工部で加工された前記一方の撮影画像データと他方の前記撮影画像データとの前記相関量が最も大きくなるときの前記加工条件に基づいて、前記撮影者側ファインダ覗き窓から見える前記被写体の範囲に対する前記第一の固体撮像素子で撮影される撮影範囲の大きさ及び位置を示す第一の情報を少なくとも生成する情報生成部と、少なくとも前記第一の情報を前記表示部に表示させて当該第一の情報を前記被写体の光像に重畳させる表示制御部とを備えるものである。
【０１５４】
開示された撮像装置は、前記情報生成部は、前記撮影範囲が前記撮影者側ファインダ覗き窓から見える前記被写体の範囲よりも広い場合に、前記第一の固体撮像素子で撮影される撮影範囲に対応する枠と、前記撮影者側ファインダ覗き窓から見える前記被写体の範囲に対応する枠とを表示するための情報を前記第一の情報として生成するものである。
【０１５５】
開示された撮像装置は、前記加工部は、前記撮影画像データの歪曲処理を少なくとも実施し、前記情報生成部は、前記撮影範囲が前記撮影者側ファインダ覗き窓から見える前記被写体の範囲よりも広い場合に、前記第一の固体撮像素子で撮影される撮影範囲に対応する矩形の枠と、前記撮影者側ファインダ覗き窓から見える前記被写体の範囲に対応する枠であって、前記相関量が最も大きくなるときの前記加工条件又は当該加工条件の反対の加工条件で前記矩形の枠を加工して得られる歪曲した枠とを表示するための情報を前記第一の情報として生成するものである。
【０１５６】
開示された撮像装置は、前記情報生成部は、更に、前記第一の固体撮像素子で撮影される撮影範囲の水平方向及び垂直方向を示すためのグリッド線を表示するための第二の情報を生成し、前記表示制御部は、前記第一の情報と前記第二の情報を前記表示部に表示させて当該第一の情報及び第二の情報を前記被写体の光像に重畳させるものである。
【０１５７】
開示された撮像装置は、前記第二の情報は、前記撮影範囲に設定されるグリッド線のうち前記撮影者側ファインダ覗き窓から見える範囲のグリッド線を前記撮影範囲に設定される大きさのままで表示するための情報と、前記撮影範囲に設定されるグリッド線の全体像を縮小して表示するための情報とを含むものである。
【０１５８】
開示された撮像装置は、前記情報生成部は、前記撮影範囲が前記撮影者側ファインダ覗き窓から見える前記被写体の範囲よりも広い場合に、前記第二の情報を生成し、前記撮影範囲が前記撮影者側ファインダ覗き窓から見える前記被写体の範囲よりも狭い場合には、前記第一の固体撮像素子で撮影される撮影範囲に対応する枠を表示するための情報を前記第一の情報として生成し、前記表示制御部は、前記撮影範囲が前記撮影者側ファインダ覗き窓から見える前記被写体の範囲よりも広い場合には、前記情報生成部で生成された前記第一の情報と前記第二の情報を前記表示部に表示させ、前記撮影範囲が前記撮影者側ファインダ覗き窓から見える前記被写体の範囲よりも狭い場合には、前記情報生成部で生成された前記第一の情報を前記表示部に表示させるものである。
【０１５９】
開示された撮像装置は、前記第一の固体撮像素子で撮影される撮影範囲が変更されたことを検出する撮影範囲変更検出部を備え、前記撮影画像データ取得部、前記加工部、及び前記情報生成部は、前記撮影範囲が変更された場合にのみ動作するものである。
【０１６０】
開示された撮像装置は、前記撮影者側ファインダ覗き窓から見える前記被写体の光像を撮影する前記第一の固体撮像素子とは別の第二の固体撮像素子を備え、前記被写体の光像を撮影して得られる撮影画像データは、前記ファインダ窓に入射してくる前記被写体の光像を、前記表示部を非表示にした状態で前記第二の固体撮像素子で撮影して得られたものであるものを含む。
【０１６１】
開示された撮像装置は、前記第一の固体撮像素子で撮影された画像を前記表示部に表示させて前記撮影者側ファインダ覗き窓に当該画像光を出射させる画像表示制御部を備え、前記第二の固体撮像素子は、前記表示部に表示される前記画像も撮影可能に配置されており、前記撮影画像データ取得部は、前記ファインダ窓に入射する被写体の光像を遮った状態で前記表示部に表示された前記画像を前記第二の固体撮像素子で撮影して得られた撮影画像データと、前記被写体の光像を撮影して得られる撮影画像データとを取得するものである。
【０１６２】
開示された撮像装置は、前記第一の固体撮像素子で撮影された画像を前記表示部に表示させて前記撮影者側ファインダ除き窓に当該画像光を出射させる画像表示制御部を備え、前記撮影画像データ取得部は、前記ファインダ窓に入射する被写体の光像を遮った状態で前記表示部に表示された前記画像を前記撮影者側ファインダ除き窓から外部の撮像装置で撮影して得られた撮影画像データと、前記ファインダ窓に入射してくる前記被写体の光像を、前記表示部を非表示にした状態で前記撮影者側ファインダ除き窓から前記外部の撮像装置で撮影して得られた撮影画像データとを取得するものである。
【０１６３】
開示された撮影範囲表示制御方法は、被写体の方向に向けられるファインダ窓と、前記ファインダ窓から入射する前記被写体の光像を覗くための撮影者側ファインダ覗き窓と、前記撮影者側ファインダ覗き窓から見える前記被写体の光像に情報を重畳させるための表示部とを含むファインダ装置を有する撮像装置における撮影範囲表示制御方法であって、前記撮影者側ファインダ覗き窓から見える前記被写体の光像を撮影して得られる撮影画像データと、前記被写体を第一の固体撮像素子で撮影して得られる撮影画像データ又は当該撮影画像データに基づく画像を撮影して得られる撮影画像データとを取得する撮影画像データ取得ステップと、前記撮影画像データ取得ステップで取得した２つの前記撮影画像データの一方を複数の加工条件で加工する加工ステップと、前記加工ステップで加工した前記一方の撮影画像データと他方の前記撮影画像データとの相関量が最も大きくなるときの前記加工条件に基づいて、前記撮影者側ファインダ覗き窓から見える前記被写体の範囲に対する前記第一の固体撮像素子で撮影される撮影範囲の大きさ及び位置を示す第一の情報を少なくとも生成する情報生成ステップと、少なくとも前記第一の情報を前記表示部に表示させて当該第一の情報を前記被写体の光像に重畳させる表示制御ステップとを備えるものである。
【０１６４】
開示された撮影範囲表示制御方法は、前記情報生成ステップでは、前記撮影範囲が前記撮影者側ファインダ覗き窓から見える前記被写体の範囲よりも広い場合に、前記第一の固体撮像素子で撮影される撮影範囲に対応する枠と、前記撮影者側ファインダ覗き窓から見える前記被写体の範囲に対応する枠とを表示するための情報を前記第一の情報として生成するものである。
【０１６５】
開示された撮影範囲表示制御方法は、前記加工ステップでは、前記撮影画像データの歪曲処理を少なくとも実施し、前記情報生成ステップでは、前記撮影範囲が前記撮影者側ファインダ覗き窓から見える前記被写体の範囲よりも広い場合に、前記第一の固体撮像素子で撮影される撮影範囲に対応する矩形の枠と、前記撮影者側ファインダ覗き窓から見える前記被写体の範囲に対応する枠であって、前記相関量が最も大きくなるときの前記加工条件又は当該加工条件の反対の加工条件で前記矩形の枠を加工して得られる歪曲した枠とを表示するための情報を前記第一の情報として生成するものである。
【０１６６】
開示された撮影範囲表示制御方法は、前記情報生成ステップでは、更に、前記第一の固体撮像素子で撮影される撮影範囲の水平方向及び垂直方向を示すためのグリッド線を表示するための第二の情報を生成し、前記表示制御ステップでは、前記第一の情報と前記第二の情報を前記表示部に表示させて当該第一の情報及び第二の情報を前記被写体の光像に重畳させるものである。
【０１６７】
開示された撮影範囲表示制御方法は、前記第二の情報は、前記撮影範囲に設定されるグリッド線のうち前記撮影者側ファインダ覗き窓から見える範囲のグリッド線を前記撮影範囲に設定される大きさのままで表示するための情報と、前記撮影範囲に設定されるグリッド線の全体像を縮小して表示するための情報とを含むものである。
【０１６８】
開示された撮影範囲表示制御方法は、前記情報生成ステップでは、前記撮影範囲が前記撮影者側ファインダ覗き窓から見える前記被写体の範囲よりも広い場合に、前記第二の情報を生成し、前記撮影範囲が前記撮影者側ファインダ覗き窓から見える前記被写体の範囲よりも狭い場合には、前記第一の固体撮像素子で撮影される撮影範囲に対応する枠を表示するための情報を前記第一の情報として生成し、前記表示制御ステップでは、前記撮影範囲が前記撮影者側ファインダ覗き窓から見える前記被写体の範囲よりも広い場合には、前記情報生成部で生成された前記第一の情報と前記第二の情報を前記表示部に表示させ、前記撮影範囲が前記撮影者側ファインダ覗き窓から見える前記被写体の範囲よりも狭い場合には、前記情報生成部で生成された前記第一の情報を前記表示部に表示させるものである。
【０１６９】
開示された撮影範囲表示制御方法は、前記第一の固体撮像素子で撮影される撮影範囲が変更されたことを検出する撮影範囲変更検出ステップを備え、前記撮影画像データ取得ステップ、前記加工ステップ、及び前記情報生成ステップを、前記撮影範囲が変更された場合にのみ実行するものである。
【０１７０】
開示された撮影範囲表示制御方法は、前記撮像装置は、前記撮影者側ファインダ覗き窓から見える前記被写体の光像を撮影する前記第一の固体撮像素子とは別の第二の固体撮像素子を備え、前記被写体の光像を撮影して得られる撮影画像データは、前記ファインダ窓に入射してくる前記被写体の光像を、前記表示部を非表示にした状態で、前記撮影者側ファインダ覗き窓から見える前記被写体の光像を前記第二の固体撮像素子で撮影して得られたものであるものを含む。
【０１７１】
開示された撮影範囲表示制御方法は、前記第一の固体撮像素子で撮影された画像を前記表示部に表示させて前記撮影者側ファインダ覗き窓に当該画像光を出射させる画像表示制御ステップを備え、前記第二の固体撮像素子は、前記表示部に表示される前記画像も撮影可能に配置されており、前記撮影画像データ取得ステップでは、前記ファインダ窓に入射する被写体の光像を遮った状態で前記表示部に表示された前記画像を前記第二の固体撮像素子で撮影して得られた撮影画像データと、前記被写体の光像を撮影して得られる撮影画像データとを取得するものである。
【０１７２】
開示された撮影範囲表示制御方法は、前記第一の固体撮像素子で撮影された画像を前記表示部に表示させて前記撮影者側ファインダ除き窓に当該画像光を出射させる画像表示制御ステップを備え、前記撮影画像データ取得ステップでは、前記ファインダ窓に入射する被写体の光像を遮った状態で前記表示部に表示された前記画像を前記撮影者側ファインダ除き窓から外部の撮像装置で撮影して得られた撮影画像データと、前記ファインダ窓に入射してくる前記被写体の光像を、前記表示部を非表示にした状態で前記撮影者側ファインダ除き窓から前記外部の撮像装置で撮影して得られた撮影画像データとを取得するものである。
【符号の説明】
【０１７３】
１０  デジタルカメラ
１５  ファインダ装置
１６  ファインダ窓
１７  撮影者側ファインダ覗き窓
２１ｂ  固体撮像素子
３７  撮影範囲計算部
６１  ＥＶＦ用液晶表示装置
【図１】
2012080296.tif 000003
【図２】
2012080296.tif 000004
【図３】
2012080296.tif 000005
【図４】
2012080296.tif 000006
【図５】
2012080296.tif 000007
【図６】
2012080296.tif 000008
【図７】
2012080296.tif 000009
【図８】
2012080296.tif 000010
【図９】
2012080296.tif 000011
【図１０】
2012080296.tif 000012
【図１１】
2012080296.tif 000013
【図１２】
2012080296.tif 000014
【図１３】
2012080296.tif 000015
【図１４】
2012080296.tif 000016
【図１５】
2012080296.tif 000017
【図１６】
2012080296.tif 000018
【図１７】
2012080296.tif 000019
【図１８】
2012080296.tif 000020
【図１９】
2012080296.tif 000021
【図２０】
2012080296.tif 000022
【図２１】
2012080296.tif 000023